(57)【要約】【課題】階層変調波の各階層毎にエラー訂正可否を表示できる地上波デジタルＴＶ受信機の受信状態表示装置を提供する。【解決手段】受信した階層変調波の各階層毎のエラー訂正能力を示す情報により前記各階層毎でエラー訂正が可能か不可能かの受信状態を表示するように構成した。【選択図】　　　　図１
2004056420.tif 000002
【特許請求の範囲】
【請求項１】
受信した階層変調波の各階層毎のエラー訂正能力を示す情報により前記各階層毎でエラー訂正が可能か不可能かの受信状態を表示するように構成した地上波デジタルＴＶ受信機の受信状態表示装置。
【請求項２】
各階層の変調方式または符号化率を表示する表示の態様を変えることにより前記各階層毎でエラー訂正が可能か不可能かの受信状態を表示するように構成した請求項１の地上波デジタルＴＶ受信機の受信状態表示装置。
【請求項３】
前記各階層において、エラー訂正が可能であればその階層の変調方式または符号化率を表示する表示を点灯状態とし、エラー訂正が不可能であればその階層の変調方式または符号化率を表示する表示をタイマー回路を用いて点滅状態とする請求項２の地上波デジタルＴＶ受信機の受信状態表示装置。
【請求項４】
エラー訂正の可否により各階層の変調方式または符号化率をタイマー回路を用いて表示する色を変える請求項２の地上波デジタルＴＶ受信機の受信状態表示装置。
【請求項５】
エラー訂正の可否により各階層の変調方式または符号化率をタイマー回路を用いて表示する色を変えると共にエラー訂正不可能の場合その階層の変調方式または符号化率の表示を点滅状態とする請求項２の地上波デジタルＴＶ受信機の受信状態表示装置。
【請求項６】
前記各階層毎でエラー訂正が可能か不可能かの受信状態を表示するか否かをスイッチにより設定可能とした請求項１から５のいずれかに記載した地上波デジタルＴＶ受信機の受信状態表示装置。
【発明の詳細な説明】
【０００１】
【発明の属する技術分野】
この発明はデジタルＴＶ受信機に係わり、特に、エラー訂正の可否の表示装置に関する。
【０００２】
【従来の技術】
日本の地上デジタルテレビ放送ＩＳＤＢ−Ｔ（Ｉｎｔｅｇｒａｔｅｄ　Ｓｅｒｖｉｃｅ　Ｄｉｇｉｔａｌ　Ｂｒｏａｄｃａｓｔｉｎｇ−Ｔｅｒｒｅｓｔｒｉａｌ）　を受信する受信機は、受信状態をＬＥＤ表示し、階層化伝送方式の各階層の変調方式や符号化率をセグメントＬＥＤを使用して表示する簡易的なモニターがパネルに配置されている。特に、このモニターの受信状態の表示部は、受信電力や同期状態を表示するものであるが、デジタル受信機特有のエラー状態を表示するモニターも備えている。
【０００３】
図１１に従来のデジタルＴＶ受信機のパネルの例を示す。図に示すようにパネルには電源スイッチ１、チャンネル選択キー２、チャンネル表示部３、受信周波数表示部４、２色表示可能の状態表示ＬＥＤ５、Ａ階層変調方式・符号化率表示部６、Ｂ階層変調方式・符号化率表示部７およびＣ階層変調方式・符号化率表示部８が配置されている。
【０００４】
状態表示ＬＥＤ５におけるＲＦ−ＩＮはアンテナから受信した信号の有無、ＰＬＬは受信周波数のロックの有無、ＤＥＭＯＤは復調できたか否か、ＶＩＴＥＲＢＩは誤り訂正の畳み込み復号のビタビ復号法の可否、ＲＥＥＤ　ＳＯＬＯＭＯＮはリードソロモンの復号でエラーが生じているか否かを夫々表示するものであり、状態が良好であれば緑色（図では白丸で表示している）で表示し、状態が悪るければ赤色（図では黒丸で表示している）で表示している。
【０００５】
このデジタルＴＶ受信機はＩＳＤＢ−Ｔ規格のＴＭＣＣ（Ｔｒａｎｓｍｉｓｓｉｏｎ　ａｎｄ　ＭｕｌｔｉｐｌｅｘｉｎｇＣｏｎｆｉｇｕｒａｔｉｏｎ　Ｃｏｎｔｒｏｌ）　方式の変調波を受信しており、変調波はＡ階層、Ｂ階層、Ｃ階層に時分割で変調している。図示の例はＡ階層は変調方式ＤＱＰＳＫ、符号化率１／２（パネル表示ｄ４　１／２）、Ｂ階層は変調方式ＱＰＳＫ、符号化率２／３（パネル表示０４　２／３）、Ｃ階層は変調方式６４ＱＡＭ、符号化率３／４（パネル表示６４　３／４）で変調されていることを示している。ここで符号化率とは誤り訂正の符号長と情報長の比を示しており、１／２は３／４より誤り訂正機能が高いが本来の情報量が少ないものである。
【０００６】
この表示例ではリードソロモンの復号でエラーが生じていることを示しているが、Ａ、Ｂ、Ｃの全階層でエラーが生じている場合と、特定の階層だけにエラーが生じている場合とが区別されて表示されない。このように、従来のデジタルＴＶ受信機ではＡ、Ｂ、Ｃのどの階層でエラーが生じているかが不明であり、即座にどの階層でエラーが生じているかを認識することができなかった。
【０００７】
【発明が解決しようとする課題】
この発明は上記した点に鑑みてなされたものであって、その目的とするところは、階層変調波の各階層毎にエラー訂正可否を表示できる地上波デジタルＴＶ受信機の受信状態表示装置を提供することにある。
【０００８】
【課題を解決するための手段】
この発明の地上波デジタルＴＶ受信機の受信状態表示装置は、受信した階層変調波の各階層毎のエラー訂正能力を示す情報により前記各階層毎でエラー訂正が可能か不可能かの受信状態を表示するように構成したものである。
【０００９】
また、前記受信状態表示装置において、各階層の変調方式または符号化率を表示する表示の態様を変えることにより前記各階層毎でエラー訂正が可能か不可能かの受信状態を表示するように構成したものである。
【００１０】
また、前記受信状態表示装置において、前記各階層において、エラー訂正が可能であればその階層の変調方式または符号化率を表示する表示を点灯状態とし、エラー訂正が不可能であればその階層の変調方式または符号化率を表示する表示をタイマー回路を用いて点滅状態とするものである。
【００１１】
また、同受信状態表示装置において、エラー訂正の可否により各階層の変調方式または符号化率をタイマー回路を用いて表示する色を変えるものである。
【００１２】
また、同受信状態表示装置において、エラー訂正の可否により各階層の変調方式または符号化率をタイマー回路を用いて表示する色を変えると共にエラー訂正不可能の場合その階層の変調方式または符号化率の表示を点滅状態とするものである。
【００１３】
また、前記各受信状態表示装置において、前記各階層毎でエラー訂正が可能か不可能かの受信状態を表示するか否かをスイッチにより設定可能としたものである。
【００１４】
【発明の実施の形態】
この発明の実施例であるデジタルＴＶ受信機を図面に基づいて説明する。図１はこの発明の第１の実施例であるデジタルＴＶ受信機のパネルを示す正面図である。図に示す電源スイッチ１、チャンネル選択キー２、チャンネル表示部３、周波数表示部４、状態表示ＬＥＤ５は図１１で説明した従来例のものと同様である。
【００１５】
この例ではＡ階層変調方式・符号化率表示部６、Ｂ階層変調方式・符号化率表示部７およびＣ階層変調方式・符号化率表示部８の夫々がその階層のエラー訂正が不可能の場合に点滅表示されるようになっている。今、Ｃ階層の６４　３／４の表示が点滅表示されている。Ａ階層およびＢ階層はエラー訂正が可能であり点灯表示されている。
【００１６】
図２に表示部駆動回路の概略構成を示す。図に示すように、復調・復号器９から出力されたチャンネル、受信周波数および変調方式を示す信号は復号部１０に入力され、復号部１０は入力された信号に応じてチャンネル表示部３、周波数表示部４および状態表示ＬＥＤ５を点灯させ、復号された各階層の変調方式情報を点滅表示部１１に出力する。復調・復号器９から出力された各階層の訂正不能情報は点滅表示部１１に入力される。
【００１７】
訂正不能情報は、リードソロモン復号のエラー訂正能力を示すものである。訂正不能情報が０のときはエラー訂正が可能であることを意味し、訂正不能情報が１のときはエラー訂正が不能であることをを意味する。本実施例の場合、復調・復号したデータにおいて、２０４バイト中のデータに９バイト以上のエラーがある場合は、リードソロモン復号のエラー訂正能力を越えており、エラー訂正不能となる。
【００１８】
点滅表示部１１は、Ａ階層変調方式・符号化率表示部６、Ｂ階層変調方式・符号化率表示部７およびＣ階層変調方式・符号化率表示部８を訂正可能な場合変調方式情報に応じて点灯させ、訂正不能の場合変調方式情報に応じて点滅させる。
【００１９】
図３に点滅表示部１１の詳細を示す。図に示すように点滅表示部１１はタイマー回路▲１▼１２とアンドゲート１３、１３、１３により構成されている。復号された各階層の変調方式情報は夫々アンドゲート１３、１３、１３の一方の端子に入力される。
【００２０】
また、各階層の訂正不能情報はタイマー回路▲１▼１２に入力され、タイマー回路▲１▼１２の各階層毎の信号が夫々アンドゲート１３、１３、１３の他方の端子に入力される。アンドゲート１３、１３、１３の出力によりＡ階層変調方式・符号化率表示部６、Ｂ階層変調方式・符号化率表示部７およびＣ階層変調方式・符号化率表示部８が点灯または点滅表示される。
【００２１】
タイマー回路▲１▼１２の動作フローチャートが図４に示されている。図４（ａ）に示すように各階層の訂正不能情報のＨパルスが入力され毎に、入力された時点から数秒間の期間図４（ｂ）に示す低い周期のパルスが対応するアンドゲート１３の他方の端子に入力される。訂正不能情報のＨパルスが入力されない階層ではＨ信号が対応するアンドゲート１３の他方の端子に入力される。図４ではＣ階層の情報が示されているが、他の階層では訂正不能情報のＨパルスが入力されず、アンドゲート１３の他方の端子にはＨ信号が入力されている。
【００２２】
このようにして、Ａ階層変調方式・符号化率表示部６、Ｂ階層変調方式・符号化率表示部７およびＣ階層変調方式・符号化率表示部８は訂正不能の階層のみ点滅表示され、訂正可能の階層では点灯表示される。訂正不能情報は、信号速度が速いため視認することが困難であるが、タイマー回路▲１▼１２により低い周波数のパルスに変換し点滅させるため視覚的にエラー状態が認識できるようになっている。
【００２３】
以上の構成により全階層の訂正不能情報が０の場合、全ての変調方式の情報が点灯状態となり、特定の階層の訂正不能情報が１の場合その階層の変調方式の情報が点滅表示される。全階層の訂正不能情報が０の場合、全ての変調方式の情報が点滅状態となる。このようにしてエラー状態が階層別で容易に認識することができる。
【００２４】
第２の実施例では第１の実施例における点滅表示部１１が図５に示す切り替え表示部１４で置き換えられ、Ａ階層変調方式・符号化率表示部６、Ｂ階層変調方式・符号化率表示部７およびＣ階層変調方式・符号化率表示部８は２色表示ＬＥＤで構成されている。他の構成は第１の実施例と同様である。
【００２５】
この例では図５に示すように切り替え表示部は、復号された各階層の変調方式の情報とタイマー回路▲２▼１５からの２色制御信号とを夫々のＡ階層変調方式・符号化率表示部６、Ｂ階層変調方式・符号化率表示部７およびＣ階層変調方式・符号化率表示部８に出力する。２色表示ＬＥＤは２色制御信号が１のとき緑色で発光し、２色制御信号が０のとき赤色で発光する。
【００２６】
タイマー回路▲２▼１５には各階層の訂正不能情報が入力され、それに応じた２色制御情報を出力する。タイマー回路▲２▼１５の動作フローチャートが図６に示されている。図６（ａ）に示すように各階層の訂正不能情報のＨパルスが入力される毎に、入力された時点から数秒間の期間、図６（ｂ）に示すように０（Ｌ）の２色制御信号がその階層に応じて出力される。図６ではＣ階層の情報が示されているが、他の階層では訂正不能情報のＨパルスが入力されず、２色制御信号として１（Ｈ）の信号が出力されている。
【００２７】
このようにして、Ａ階層変調方式・符号化率表示部６、Ｂ階層変調方式・符号化率表示部７およびＣ階層変調方式・符号化率表示部８は訂正不能の階層のみ訂正不能情報が入力される度に、視認可能の数秒間赤色で表示され、訂正可能の階層では緑色に表示される。このようにしてエラー状態が階層別で容易に認識することができる。
【００２８】
第３の実施例では第１の実施例における点滅表示部１１が図７に示す点滅切り替え表示部１６で置き換えられ、Ａ階層変調方式・符号化率表示部６、Ｂ階層変調方式・符号化率表示部７およびＣ階層変調方式・符号化率表示部８は第２の実施例の２色表示ＬＥＤで構成されている。他の構成は第１の実施例と同様である。
【００２９】
この例では図７に示すように切り替え表示部１６はタイマー回路▲１▼１２、タイマー回路▲２▼１５およびアンドゲート１３、１３、１３により構成されている。復号された各階層の変調方式情報は夫々アンドゲート１３、１３、１３の一方の入力端子に入力される。
【００３０】
また、各階層の訂正不能情報はタイマー回路▲１▼１２およびタイマー回路▲２▼１５に入力され、タイマー回路▲１▼１２の各階層毎の信号は夫々アンドゲート１３、１３、１３の他方の入力端子に入力される。また、タイマー回路▲２▼１５の各階層毎の信号は２色制御信号としてＡ階層変調方式・符号化率表示部６、Ｂ階層変調方式・符号化率表示部７およびＣ階層変調方式・符号化率表示部８に夫々入力される。
【００３１】
タイマー回路▲１▼１２およびタイマー回路▲２▼１５の動作フローチャートが図８に示されている。図８（ａ）に示すように各階層の訂正不能情報のＨパルスが入力され毎に、入力された時点から数秒間の期間図８（ｂ）に示す低い周期のパルスが対応するアンドゲート１３の他方の端子に入力される。訂正不能情報のＨパルスが入力されない階層ではＨ信号が対応するアンドゲート１３の他方の端子に入力される。
【００３２】
また、図８（ｃ）に示すように各階層の訂正不能情報のＨパルスが入力され毎に、入力された時点から数秒間の期間０（Ｌ）の２色制御信号がＡ階層変調方式・符号化率表示部６、Ｂ階層変調方式・符号化率表示部７およびＣ階層変調方式・符号化率表示部８に夫々入力される。図８ではＣ階層の情報が示されているが、他の階層では訂正不能情報のＨパルスが入力されず、アンドゲート１３の他方の端子にはＨ信号が入力される。また、その階層の２色制御信号は１（Ｈ）として出力されている。
【００３３】
このようにして、Ａ階層変調方式・符号化率表示部６、Ｂ階層変調方式・符号化率表示部７およびＣ階層変調方式・符号化率表示部８は訂正不能の階層のみ訂正不能情報が入力される度に、視認可能の数秒間赤色で点滅表示され、訂正可能の階層では緑色に表示される。このようにしてエラー状態が階層別で容易に認識することができる。
【００３４】
図９にこの発明の第４の実施例であるデジタルＴＶ受信機のパネルを示す。この例では第１の実施例の点滅表示部１１が点滅オン・オフスイッチ１７により制御される。他の構成は第１の実施例と同様である。図１０に示すように点滅オン・オフスイッチ１７の信号は点滅表示部１１に入力され、点滅表示部１１の作動が制御される。
【００３５】
点滅オン・オフスイッチ１７がオンとなると、点滅表示部１１は作動状態となり、訂正不能の階層の変調方式情報は点滅表示され、訂正可能の階層の変調方式情報は点灯表示される。点滅オン・オフスイッチ１７がオフとなると、点滅表示部１１は非作動状態となり、訂正不能・可能に拘らず各階層の変調方式情報は常時点灯表示される。このようにして、点滅表示が煩わしいときは、点滅を停止させることができる。
【００３６】
なお、第２の実施例の切り替え表示部１４をオン・オフスイッチで作動・非作動状態に切り替え、表示色の切り替えが煩わしいときは、表示色の切り替えを停止させることもできる。
【００３７】
【発明の効果】
この発明によれば、階調変調波の受信において、特定の階層だけにエラーが生じているときに、どの階層にエラーが生じているかを受信状態表示装置を見るだけで認識することが可能となる。
【図面の簡単な説明】
【図１】この発明の第１の実施例であるデジタルＴＶ受信機のパネルを示す正面図である。
【図２】同デジタルＴＶ受信機の要部を示すブロック図である。
【図３】同デジタルＴＶ受信機の点滅表示部を示すブロック図である。
【図４】同点滅表示部の作用を示すタイムチャートである。
【図５】この発明の第２の実施例であるデジタルＴＶ受信機の切り替え表示部を示すブロック図である。
【図６】同切り替え表示部の作用を示すタイムチャートである。
【図７】この発明の第３の実施例であるデジタルＴＶ受信機の点滅切り替え表示部を示すブロック図である。
【図８】同点滅表示部の作用を示すタイムチャートである。
【図９】この発明の第４の実施例であるデジタルＴＶ受信機のパネルを示す正面図である。
【図１０】同デジタルＴＶ受信機の要部を示すブロック図である。
【図１１】従来のデジタルＴＶ受信機のパネルの例を示す正面図である。
【符号の説明】
１　電源スイッチ
２　チャンネル選択キー
３　チャンネル表示部
４　受信周波数表示部
５　状態表示ＬＥＤ
６　Ａ階層変調方式・符号化率表示部
７　Ｂ階層変調方式・符号化率表示部
８　Ｂ階層変調方式・符号化率表示部
９　復調・復号器
１０　復号部
１１　点滅表示部
１２　タイマー回路
１３　アンドゲート
１４　切り替え表示部
１５　タイマー回路
１６　点滅切り替え表示部
１７　点滅表示オン・オフスイッチ
【図１】
2004056420.tif 000003
【図２】
2004056420.tif 000004
【図３】
2004056420.tif 000005
【図４】
2004056420.tif 000006
【図５】
2004056420.tif 000007
【図６】
2004056420.tif 000008
【図７】
2004056420.tif 000009
【図８】
2004056420.tif 000010
【図９】
2004056420.tif 000011
【図１０】
2004056420.tif 000012
【図１１】
2004056420.tif 000013